(57)【要約】【課題】防犯性の向上を図りつつ、ユーザが閉め出されることの抑制が可能な電気錠装置を提供する。【解決手段】電気錠装置１は、錠駆動部１１と、通信部１８と、制御部１０と、解錠検知部１２と、操作検知部１４と、判定部１５と、を備える。錠駆動部１１は、錠５０を駆動することにより、錠５０の施錠状態と解錠状態とを切り替える。制御部１０は、錠駆動部１１を制御する。解錠検知部１２は、手動解錠を検知する。操作検知部１４は、ドア５に対する操作を検知する。判定部１５は、操作検知部１４の検知結果である検知操作が、特定操作であるか否かを判定する。制御部１０は、解錠検知部１２が手動解錠を検知した場合、所定条件を満たすと錠５０が施錠状態となるように錠駆動部１１を制御する仮施錠制御を行う。また、制御部１０は、仮施錠制御中に特定操作が行われた場合、錠５０が解錠状態となるように錠駆動部１１を制御する。【選択図】図１
2018062803.tif 000002
【特許請求の範囲】
【請求項１】
建物のドアの錠を駆動することにより、前記錠の施錠状態と解錠状態とを切り替える錠駆動部と、
鍵装置と通信可能な通信部と、
前記通信部が受信した前記鍵装置からの信号に基づいて、前記錠駆動部を制御する制御部と、
ユーザが前記錠を手動操作することにより前記施錠状態から前記解錠状態へ切り替えられる手動解錠を、検知する解錠検知部と、
前記ドアに対する操作を検知する操作検知部と、
前記操作検知部の検知結果である検知操作が、特定操作であるか否かを判定する判定部と、を備え、
前記制御部は、前記解錠検知部が前記手動解錠を検知した場合、所定条件を満たすと前記錠が施錠状態となるように前記錠駆動部を制御する仮施錠制御を行い、
前記制御部は、前記仮施錠制御中に、前記錠の解錠を指示する信号を前記通信部が受信した場合、又は前記検知操作が前記特定操作であると前記判定部で判定された場合、前記錠が前記解錠状態となるように前記錠駆動部を制御する
ことを特徴とする電気錠装置。
【請求項２】
前記特定操作は、前記ドアに対する押操作と引操作とを所定の順序パターンで組み合わせた操作である
ことを特徴とする請求項１記載の電気錠装置。
【請求項３】
前記ドアに対して行われた操作を前記特定操作として前記判定部に登録可能である
ことを特徴とする請求項１又は２に記載の電気錠装置。
【請求項４】
前記仮施錠制御が開始されてからの経過時間を計測するタイマを更に備え、
前記制御部は、前記タイマの計測結果が閾値時間を越えると、前記仮施錠制御を終了し、前記錠が解錠状態となるように前記錠駆動部を制御する
ことを特徴とする請求項１〜３のいずれか１項に記載の電気錠装置。
【請求項５】
前記制御部は、前記仮施錠制御中に、前記錠の解錠を指示する信号を前記通信部が受信した場合、前記仮施錠制御を一時的に停止して前記錠が前記解錠状態となるように前記錠駆動部を制御し、前記所定条件を満たすと前記仮施錠制御を再開する
ことを特徴とする請求項１〜４のいずれか１項に記載の電気錠装置。
【請求項６】
前記手動解錠が、前記建物の内側から行われたか、前記建物の外側から行われたかを判別する方向判別部を更に備え、
前記制御部は、前記方向判別部の判別結果が前記建物の内側である場合にのみ、前記仮施錠制御を行う
ことを特徴とする請求項１〜５のいずれか１項に記載の電気錠装置。
【発明の詳細な説明】
【技術分野】
【０００１】
本発明は、一般に電気錠装置に関し、より詳細には建物のドアの施錠及び解錠を行う電気錠装置に関する。
【背景技術】
【０００２】
従来、住宅（建物）の玄関ドアに設けられた錠前（錠）を電動で施錠及び解錠する電気錠装置が開示されている（例えば、特許文献１参照）。特許文献１に記載の電気錠装置は、検知部と、第１通信部と、錠前を駆動する駆動部と、制御部と、を備えている。また、住宅の住人が錠前の施錠又は解錠を行うために使用する携帯機（鍵装置）は、メモリと、第２通信部とを備えている。鍵装置のメモリには、錠前を施錠又は解錠するために必要な認証情報が予め登録されている。電気錠装置の制御部のメモリには、鍵装置に割り当てられた認証情報が予め登録されている。
【０００３】
制御部は、第１通信部と第２通信部とが無線通信を行うことにより鍵装置から取得した認証情報とメモリに予め登録されている認証情報とを照合し、両者が一致する場合に解錠待ちの状態となる。そして、制御部は、解錠待ちの状態で検知部から検知信号が入力されると、駆動部を制御して錠を解錠させる。また、制御部は、玄関ドアが閉められてから、予め設定された開放時間が経過すると、駆動部に施錠命令を出力し、駆動部に錠前を施錠させる。
【先行技術文献】
【特許文献】
【０００４】
【特許文献１】特開２０１６−３０８９４号公報
【発明の概要】
【発明が解決しようとする課題】
【０００５】
電気錠装置は、ユーザがサムターンを回して錠を手動操作で解錠した場合、錠を電動で施錠しない場合がある。この場合、錠が解錠状態のまま放置されるおそれがあった。また、ユーザが手動操作で錠を解錠した場合も電動で施錠するように電気錠装置を構成した場合、鍵又は鍵装置を携帯していないおそれがあるユーザが閉め出されて建物に入れなくなるおそれがあった。
【０００６】
本発明は、上記事由に鑑みてなされており、その目的は、防犯性の向上を図りつつ、ユーザが閉め出されることの抑制が可能な電気錠装置を提供することにある。
【課題を解決するための手段】
【０００７】
本発明の電気錠装置は、錠駆動部と、通信部と、制御部と、解錠検知部と、操作検知部と、判定部と、を備える。前記錠駆動部は、建物のドアの錠を駆動することにより、前記錠の施錠状態と解錠状態とを切り替える。前記通信部は、鍵装置と通信可能である。前記制御部は、前記通信部が受信した前記鍵装置からの信号に基づいて、前記錠駆動部を制御する。前記解錠検知部は、ユーザが前記錠を手動操作することにより前記施錠状態から前記解錠状態へ切り替えられる手動解錠を、検知する。前記操作検知部は、前記ドアに対する操作を検知する。前記判定部は、前記操作検知部の検知結果である検知操作が、特定操作であるか否かを判定する。前記制御部は、前記解錠検知部が前記手動解錠を検知した場合、所定条件を満たすと前記錠が施錠状態となるように前記錠駆動部を制御する仮施錠制御を行う。前記制御部は、前記仮施錠制御中に、前記錠の解錠を指示する信号を前記通信部が受信した場合、又は前記検知操作が前記特定操作であると前記判定部で判定された場合、前記錠が前記解錠状態となるように前記錠駆動部を制御する。
【発明の効果】
【０００８】
本発明の電気錠装置では、防犯性の向上を図りつつ、ユーザが閉め出されることの抑制が可能になるという効果がある。
【図面の簡単な説明】
【０００９】
【図１】図１は、本発明の一実施形態に係る電気錠装置を含むシステムのブロック図である。
【図２】図２は、同上の電気錠装置の使用例を示す概略図である。
【図３】図３は、同上の電気錠装置の動作例を示すフローチャートである。
【発明を実施するための形態】
【００１０】
以下、本発明の実施の形態を図面に基づいて説明する。ただし、以下に説明する実施形態は、本発明の様々な実施形態の一つに過ぎない。下記の実施形態は、本発明の目的を達成できれば、設計等に応じて種々の変更が可能である。
【００１１】
（実施形態）
＜概要＞
本実施形態に係る電気錠装置１を含むシステムのブロック図を図１に示し、電気錠装置１の使用例の概略図を図２に示す。本実施形態に係る電気錠装置１は、建物４の出入り口に設けられたドア５（例えば、玄関扉、勝手口扉等）に設けられた錠５０の施錠及び解錠を電動で行う装置である。本実施形態では、建物４が戸建住宅である場合を例として説明する。
【００１２】
本実施形態の電気錠装置１は、建物４の内側からユーザ３（住人）が手動操作で錠５０を解錠した場合、錠５０を一時的に施錠する仮施錠制御を行う。電気錠装置１は、仮施錠制御中にユーザ３がドア５に対して特定操作を行った場合、錠５０を解錠する解錠制御を行う。これにより、ユーザ３が手動操作で錠５０を解錠した場合であっても、錠５０を施錠して防犯性の向上を図りつつ、鍵又は鍵装置２を携帯していないユーザ３が閉め出されることの抑制が可能となる。
【００１３】
＜詳細＞
以下に、本実施形態の電気錠装置１の詳細について説明する。本実施形態の電気錠装置１は、制御部１０、錠駆動部１１、解錠検知部１２、方向判別部１３、操作検知部１４、判定部１５、トリガ発生部１６、タイマ１７、通信部１８、及び認証部１９を備えており、ドア５に設けられている（図１、図２参照）。
【００１４】
錠駆動部１１は、建物４のドア５に設けられた錠５０を電気的に駆動することにより、錠５０の施錠状態と解錠状態とを切り替えるように構成されている。錠５０の施錠状態とは、デッドボルトがドア５の端面から突出してストライクに嵌まっている状態であり、錠５０の解錠状態とは、デッドボルトがドア５の端面から突出していない状態である。錠駆動部１１は、制御部１０によって制御される。
【００１５】
制御部１０は、ＣＰＵ（Central Processing Unit）及びメモリを備えるマイクロコンピュータで構成されており、ＣＰＵがメモリに格納されているプログラムを実行することにより、各種機能を実現する。制御部１０は、錠５０が解錠状態となるように錠駆動部１１を制御する解錠制御を行う機能、及び錠５０が施錠状態となるように錠駆動部１１を制御する施錠制御を行う機能を有している。施錠制御には、仮施錠制御と、本施錠制御とが含まれている。仮施錠制御と本施錠制御とでは、施錠状態の錠５０を解錠する際に、制御部１０が解錠制御を行うためのトリガが異なる。仮施錠制御中において、制御部１０は、ドア５に対して特定操作が行われた場合、及び、錠５０の解錠を指示する信号が鍵装置２から送信され、この信号を通信部１８が受信した場合、仮施錠制御を終了して解錠制御を行う。また、本施錠制御中において、制御部１０は、錠５０の解錠を指示する信号が鍵装置２から送信され、この信号を通信部１８が受信した場合にのみ、本施錠制御を終了して解錠制御を行う。つまり、ドア５に対する特定操作による解錠は、仮施錠制御中にのみ可能であり、本施錠制御中は、ドア５に対する特定操作による解錠が不可である。特定操作の詳細については後述する。
【００１６】
制御部１０は、通信部１８が受信した鍵装置２からの信号、判定部１５の判定結果、及び解錠検知部１２の検知結果に基づいて、解錠制御又は施錠制御（仮施錠制御、本施錠制御）を行う。
【００１７】
通信部１８は、鍵装置２と通信可能に構成されている。鍵装置２は、例えば、スマートフォン、タブレット端末等の汎用の情報端末、タグ状の電子機器、ＩＣカード等で構成されており、記憶部２１、通信部２２、及び制御部２３を備えている。記憶部２１は、鍵装置２に固有の鍵ＩＤ（Identification）が記憶されている。通信部２２は、電気錠装置１の通信部１８との間で無線通信が可能に構成されている。制御部２３は、通信部２２を制御するように構成されている。制御部２３は、記憶部２１に記憶された鍵ＩＤを含む信号（ＩＤ信号）を、通信部２２から電気錠装置１の通信部１８に送信させる。
【００１８】
認証部１９には、少なくとも１つの登録ＩＤが登録（記憶）されている。登録ＩＤは、鍵装置２の鍵ＩＤに対応している。例えば、建物４の複数の住人がそれぞれ個別の鍵装置２を所持するような場合、認証部１９には、これら複数台の鍵装置２の鍵ＩＤに対応する複数の登録ＩＤが登録される。認証部１９は、登録ＩＤと、通信部１８が受信したＩＤ信号に含まれる鍵ＩＤとを照合する認証処理を行う。制御部１０は、認証部１９による認証処理において鍵ＩＤの認証に成功した場合、鍵装置２からの信号が示す指示に基づいて、解錠制御又は本施錠制御を行う。
【００１９】
また、制御部１０は、鍵装置２からの信号に基づいて解錠制御を行った場合、一定時間後に錠５０が再び施錠状態となるように本施錠制御を行う。したがって、鍵装置２を用いて錠５０が解錠された場合、一定時間後に錠５０が自動的に施錠される。
【００２０】
また、錠５０は、ユーザ３の手動操作によって施錠状態と解錠状態との切り替えが可能である。例えば、ユーザ３がドア５の屋内４１側に設けられたサムターン５２を回すことにより、錠５０の施錠状態と解錠状態とを切り替えることができる。また、ユーザ３がドア５の屋外４２側に設けられたシリンダー５３に鍵を差し込んで、鍵を回すことにより、錠５０の施錠状態と解錠状態とを切り替えることができる。本実施形態では、ユーザ３の手動操作によって錠５０が施錠状態から解錠状態へ切り替えられる解錠操作を「手動解錠」という。
【００２１】
解錠検知部１２は、手動解錠を検知するように構成されている。解錠検知部１２は、錠５０の状態（施錠状態、解錠状態）、及び錠駆動部１１の駆動状態を監視している。解錠検知部１２は、錠５０が施錠状態から解錠状態に切り替わる際に、錠駆動部１１が停止している場合、ユーザ３による手動解錠が行われたと判断する。また、解錠検知部１２は、錠５０が施錠状態から解錠状態に切り替わる際に、錠駆動部１１が駆動している場合、錠駆動部１１による電動解錠が行われたと判断する。
【００２２】
方向判別部１３は、解錠検知部１２が手動解錠を検知した場合、当該手動解錠が建物４の内側（屋内４１側）と建物４の外側（屋外４２側）とのうち、どちら側から行われたかを判別するように構成されている。方向判別部１３は、ドア５の屋内４１側と屋外４２側とに設けられた２つのドアハンドル５１のうち、手動解錠後にドア５を開けるのに用いられたドアハンドル５１に基づいて、屋内４１側からの手動解錠と屋外４２側からの手動解錠とを判別する。２つのドアハンドル５１を区別して説明する場合、屋内４１側のドアハンドル５１をドアハンドル５１ａ、屋外４２側のドアハンドル５１をドアハンドル５１ｂという（図２参照）。方向判別部１３は、解錠検知部１２が手動解錠を検知した後、屋内４１側のドアハンドル５１ａが操作されてドア５が開けられた場合、屋内４１側から手動解錠が行われたと判断する。また、方向判別部１３は、解錠検知部１２が手動解錠を検知した後、屋外４２側のドアハンドル５１ｂが操作されてドア５が開けられた場合、屋外４２側から手動解錠が行われたと判断する。
【００２３】
制御部１０は、解錠検知部１２が手動解錠を検知し、かつ、所定条件を満たした場合、仮施錠制御を行う。所定条件とは、例えば、ドア５の開放と閉鎖との両方が行われる、という条件である。また、本実施形態では、制御部１０は、方向判別部１３の判別結果が屋内４１側からの手動解錠である場合にのみ、仮施錠制御を行う。つまり、制御部１０は、ユーザ３がサムターン５２を回して錠５０を解錠し、かつ、ユーザ３がドア５を開けて屋外４２に出た後にドア５が閉じられた場合、錠５０が施錠状態となるように仮施錠制御を行う。
【００２４】
また、制御部１０は、仮施錠制御中において、ドア５に対して特定操作が行われた場合、仮施錠制御を終了して解錠制御を行うように構成されている。ドア５に対する特定操作の検出は、操作検知部１４及び判定部１５によって行われる。
【００２５】
操作検知部１４は、ユーザ３によるドア５に対する操作を検知するように構成されている。操作検知部１４は、ドア５のドアハンドル５１に加えられる力の方向を検知することにより、ユーザ３がドアハンドル５１を介してドア５を押す押操作、及びユーザ３がドアハンドル５１を介してドア５を引く引操作を検知するように構成されている。
【００２６】
操作検知部１４は、検知した操作の操作内容を表す検知信号を判定部１５に出力する。検知信号は、押操作、引操作それぞれに対応した振幅の波形を有する信号であり、操作検知部１４が検知した操作（押操作、引操作）を示している。ここでいう「押操作」とは、ユーザ３がドアハンドル５１を押す力を加える状態（押す状態）から、この力を解除したニュートラルな状態までの操作である。「引操作」とは、ユーザ３がドアハンドル５１を引く力を加える状態（引く状態）から、この力を解除したニュートラルな状態までの操作である。操作検知部１４は、ドアハンドル５１に力が加えられていないニュートラルな状態を、ドア５に対する操作（押操作、引操作）の区切りとする。すなわち、操作検知部１４は、ニュートラルな状態とニュートラルな状態との間を、ドア５に対して行われた１つの操作（押操作、又は引操作）と判断する。したがって、押操作又は引操作が連続して複数回行われた場合でも、操作検知部１４は、複数回の押操作又は引操作の各々を１回の操作として検知することができる。
【００２７】
操作検知部１４は、屋内４１側からのドア５に対する操作と、屋外４２側からのドア５に対する操作とを区別して検知するように構成されている。具体的には、操作検知部１４は、屋内４１側のドアハンドル５１ａに対して力が加えられた場合、屋内４１側からのドア５に対する操作と判断し、屋外４２側のドアハンドル５１ｂに対して力が加えられた場合、屋外４２側からのドア５に対する操作と判断する。
【００２８】
判定部１５は、操作検知部１４からの検知信号に基づいて、操作検知部１４の検知結果である検知操作が特定操作であるか否かを判定する判定処理を行うように構成されている。特定操作とは、ドア５に対する押操作と引操作とを所定の順序パターンで組み合わせた操作である。順序パターンとは、押操作と引操作の順番を示しており、例えば「押操作→引操作→押操作→押操作→引操作・・・」等である。
【００２９】
判定部１５は、操作検知部１４から出力される検知信号の波形に基づいて、検知操作（押操作、引操作）の順序パターンを抽出する。そして、判定部１５は、検知操作の順序パターンが、特定操作の順序パターンと一致しているか否かを判定することにより、検知操作が特定操作であるか否かを判定する。判定部１５は、検知操作の順序パターンが、特定操作の順序パターンと一致している場合、検知操作が特定操作であると判定する。また、判定部１５は、検知操作の順序パターンが、特定操作の順序パターンと不一致である場合、検知操作が特定操作とは異なる操作であると判定する。
【００３０】
特定操作（解錠操作、施錠操作）の順序パターンは、固定のパターンではなく更新可能である。例えば、電気錠装置１は、ドア５の屋内４１側に設けられたプッシュボタンスイッチが長押しされると特定操作の登録モードとなり、ユーザ３がドア５に対して行った押操作、引操作の順序パターンが、特定操作の順序パターンとして判定部１５に登録される。すなわち、ユーザ３が任意の操作を特定操作として判定部１５に登録することができる。
【００３１】
また、判定部１５は、トリガ発生部１６がトリガを発生させてから所定時間（例えば１５秒、３０秒、１分等）の間のみ、検知操作が特定操作であるか否かの判定処理を行うように構成されている。
【００３２】
トリガ発生部１６は、判定部１５による判定処理のトリガを発生させるように構成されている。本実施形態のトリガ発生部１６は、ユーザ３からの操作を受け付ける操作部１６１を備えており、操作部１６１が所定の操作を受け付けた場合、判定処理のトリガを発生させる。本実施形態では、操作部１６１が、ドア５に設けられたプッシュボタンスイッチで構成されている。トリガ発生部１６は、ユーザ３によりプッシュボタンスイッチが押されたときにトリガを発生させる。
【００３３】
したがって、判定部１５は、ユーザ３が操作部１６１を操作してから所定時間内にドア５に対して操作を行った場合、当該操作（検知操作）が特定操作であるか否かの判定処理を行う。制御部１０は、仮施錠制御中に、操作検知部１４の検知結果である検知操作が特定操作であると判定部１５が判定した場合、仮施錠制御を終了して解錠制御を行う。本実施形態では、制御部１０は、仮施錠制御中に屋外４２側から特定操作が行われた場合にのみ、仮施錠制御を終了して解錠制御を行う。
【００３４】
また、制御部１０は、仮施錠制御を開始してからの時間が閾値時間（例えば、１０分、３０分、１時間等）を経過すると、仮施錠制御を終了して解錠制御を行うように構成されている。制御部１０が仮施錠制御を開始してからの経過時間は、タイマ１７によって計測される。
【００３５】
タイマ１７は、制御部１０が仮施錠制御を開始すると時間計測を開始し、制御部１０が仮施錠制御を終了すると時間計測を停止する。また、タイマ１７は、制御部１０が仮施錠制御を終了すると、計測値をリセットする。
【００３６】
また、制御部１０は、仮施錠制御中に、鍵装置２から錠５０の解錠を指示する信号を通信部１８が受信した場合、仮施錠制御を一時的に停止して解錠制御を行う。そして、制御部１０は、解錠制御後に、ドア５の開放及び閉鎖が行われるという所定条件を満たすと、仮施錠制御を再開する。つまり、制御部１０は、仮施錠制御中に鍵装置２からの信号に基づいて解錠制御を行った場合であっても、仮施錠制御を終了せず再開する。
【００３７】
＜動作＞
本実施形態の電気錠装置１の動作について、図３を参照して説明する。図３は、電気錠装置１の動作例を示すフローチャートである。ここでは、錠５０が施錠状態から解錠状態に切り替えられた際の電気錠装置１の動作例について説明する。
【００３８】
解錠検知部１２は、錠５０の状態（施錠状態、解錠状態）、及び錠駆動部１１の駆動状態に基づいて、手動解錠を検知する（Ｓ１）。解錠検知部１２は、錠５０が解錠状態となった際に、錠駆動部１１が停止している場合、手動解錠が行われたことを検知する。また、解錠検知部１２は、錠５０が解錠状態となった際に、錠駆動部１１が駆動している場合、手動解錠が行われていないと判断する。
【００３９】
解錠検知部１２が手動解錠を検知した場合（Ｓ１：Ｙｅｓ）、方向判別部１３は、屋内４１側と屋外４２側とのうち、どちら側から手動解錠が行われたかを判別する（Ｓ２）。方向判別部１３は、手動解錠後に、屋内４１側のドアハンドル５１ａが操作された場合、手動解錠が屋内４１側から行われたと判別し、屋外４２側のドアハンドル５１ｂが操作された場合、手動解錠が屋外４２側から行われたと判別する。
【００４０】
手動解錠が屋内４１側から行われた場合（Ｓ２：Ｙｅｓ）、制御部１０は、所定条件が満たされているか否かを判断する（Ｓ３）。手動解錠後に、ドア５の開放及び閉鎖が行われるという所定条件が満たされている場合（Ｓ３：Ｙｅｓ）、制御部１０は、仮施錠制御を行う（Ｓ４）。
【００４１】
つまり、ユーザ３がサムターン５２を回して錠５０を解錠し、ドア５を開けて屋外４２に出た後にドア５が閉じられた場合、制御部１０が仮施錠制御を行うことによって、錠５０が施錠状態となる。
【００４２】
仮施錠制御中において、判定部１５は、トリガ発生部１６からのトリガの発生待ち状態となる（Ｓ５）。判定部１５は、トリガ発生部１６がトリガを発生させた場合（Ｓ５：Ｙｅｓ）、操作検知部１４が検知した検知操作が特定操作であるか否かの判定処理を行う（Ｓ６）。判定部１５は、検知操作の順序パターンと、特定操作の順序パターンとが一致する場合、検知操作が特定操作であると判定する。言い換えれば、判定部１５は、検知操作の順序パターンと、特定操作の順序パターンとが一致する場合、特定操作が行われたと判定する。また、判定部１５は、検知操作の順序パターンと、特定操作の順序パターンとが不一致である場合、特定操作が行われていないと判定する。
【００４３】
検知操作が特定操作である場合（Ｓ６：Ｙｅｓ）、制御部１０は、解錠制御を行う（Ｓ７）。つまり、仮施錠制御中において、ユーザ３がドア５に対して特定操作を行うことによって、錠５０が解錠される。これにより、ユーザ３は、鍵装置２又はシリンダー５３を回すための鍵を携帯していない場合であっても、錠５０を解錠して建物４に入ることができる。また、検知操作が特定操作と異なる場合（Ｓ６：Ｎｏ）、判定部１５は、トリガ発生部１６からのトリガの発生待ちを継続する（Ｓ５）。
【００４４】
また、トリガ発生部１６からのトリガが発生していない場合（Ｓ５：Ｎｏ）、制御部１０は、仮施錠制御を開始してからの時間と閾値時間とを比較する（Ｓ８）。制御部１０は、仮施錠制御を開始してからの時間が閾値時間を経過した場合（Ｓ８：Ｙｅｓ）、解錠制御を行う（Ｓ７）。また、仮施錠制御を開始してからの時間が閾値時間を経過していない場合（Ｓ８：Ｎｏ）、判定部１５は、トリガ発生部１６からのトリガの発生待ちを継続する（Ｓ５）。
【００４５】
また、錠５０の解錠操作が錠駆動部１１による電動解錠である場合（Ｓ１：Ｎｏ）、制御部１０は、ドア５の開放及び閉鎖が行われた後に本施錠制御を行う（Ｓ９）。これにより、錠５０が施錠状態となり、特定操作による解錠が不可となる。
【００４６】
また、手動解錠が屋外４２側から行われた場合（Ｓ２：Ｎｏ）、及び、手動解錠後において所定条件を満たしていない場合（Ｓ３：Ｎｏ）、電気錠装置１は、錠５０の解錠制御、及び施錠制御（仮施錠制御、本施錠制御）を行わない。したがって、錠５０は、解錠状態のままとなる。
【００４７】
＜変形例＞
次に、本実施形態の電気錠装置１の変形例について説明する。
【００４８】
上述した例では、制御部１０は、仮施錠制御中に特定操作が行われると、仮施錠制御を終了するように構成されているが、これに限らない。制御部１０は、仮施錠制御中に特定操作が行われると、仮施錠制御を一時的に停止して解錠制御を行うように構成されていてもよい。つまり、制御部１０は、仮施錠制御中に特定操作が行われた際に、仮施錠制御を終了する必要はなく、仮施錠制御の停止を少なくとも一時的に行う構成であればよい。制御部１０は、仮施錠制御を一時的に停止する場合、仮施錠制御の一時停止中に解錠制御を行い、その後、仮施錠制御を再開する。この場合、制御部１０は、仮施錠制御が開始してからの時間が閾値時間を経過した場合に仮施錠制御を終了する。これにより、特定操作によって錠５０が解錠された後も仮施錠制御が継続されるので、複数のユーザ３が特定操作によって錠５０を解錠することができ、複数のユーザ３が閉め出されることの抑制が可能となる。
【００４９】
また、上述した例では、制御部１０は、仮施錠制御が開始してからの時間が閾値時間を経過した場合、仮施錠制御を終了して解錠制御を行うように構成されているが、仮施錠制御を終了して本施錠制御を行うように構成されていてもよい。つまり、制御部１０は、仮施錠制御が開始してからの時間が閾値時間を経過すると、特定操作での解錠が不可である本施錠制御を行うように構成されていてもよい。これにより、閾値時間の経過後に錠５０が解錠されて解錠状態のまま放置されることが抑制され、防犯性の向上を図ることが可能となる。
【００５０】
また、上述した例では、所定条件は、ドア５の開放と閉鎖との両方が行われるという条件であるが、この条件に限らない。例えば、所定条件は、手動解錠が行われてから一定時間が経過する、という条件であってもよい。
【００５１】
また、上述した例では、特定操作は、ドア５に対する押操作、引操作を所定の順序パターンで組み合わせた操作であるが、他の操作であってもよい。例えば、特定操作は、ドア５に対するノックの強弱、ノックのリズムを所定のパターンで行う操作であってもよい。この場合、操作検知部１４は、例えば感圧センサ等を備え、ドア５に対する操作を検知する。
【００５２】
また、建物４は、戸建住宅に限らず、例えば集合住宅の各住戸等の戸建住宅以外の住宅、又は事務所や店舗、介護施設等の非住宅であってもよい。
【００５３】
また、制御部１０は、仮施錠制御を無効とする機能を有していてもよい。これにより、ユーザ３は、手動操作で錠５０を解錠した場合であっても、仮施錠制御が行われないようにすることができる。
【００５４】
＜まとめ＞
第１態様に係る電気錠装置１は、錠駆動部１１と、通信部１８と、制御部１０と、解錠検知部１２と、操作検知部１４と、判定部１５と、を備える。錠駆動部１１は、建物４のドア５の錠５０を駆動することにより、錠５０の施錠状態と解錠状態とを切り替える。通信部１８は、鍵装置２と通信可能である。制御部１０は、通信部１８が受信した鍵装置２からの信号に基づいて、錠駆動部１１を制御する。解錠検知部１２は、ユーザ３が錠５０を手動操作することにより施錠状態から解錠状態へ切り替えられる手動解錠を、検知する。操作検知部１４は、ドア５に対する操作を検知する。判定部１５は、操作検知部１４の検知結果である検知操作が、特定操作であるか否かを判定する。制御部１０は、解錠検知部１２が手動解錠を検知した場合、所定条件を満たすと錠５０が施錠状態となるように錠駆動部１１を制御する仮施錠制御を行う。また、制御部１０は、仮施錠制御中に、錠５０の解錠を指示する信号を通信部１８が受信した場合、又は検知操作が特定操作であると判定部１５で判定された場合、錠５０が解錠状態となるように錠駆動部１１を制御する。
【００５５】
上記構成により、電気錠装置１は、ユーザ３が手動操作で錠５０を解錠した場合であっても、錠５０を施錠状態とするので、錠５０が解錠状態のまま放置されることが抑制され、防犯性の向上を図ることが可能となる。また、電気錠装置１は、仮施錠制御中にドア５に対して特定操作が行われると錠５０を解錠するので、ユーザ３が鍵又は鍵装置２を携帯しないで外出した場合であっても、ユーザ３が閉め出されることを抑制することが可能となる。
【００５６】
第２態様に係る電気錠装置１は、第１態様において、特定操作は、ドア５に対する押操作と引操作とを所定の順序パターンで組み合わせた操作であることが好ましい。
【００５７】
上記構成により、電気錠装置１は、ドア５に設けられているドアハンドル５１を、ユーザ３が特定操作を行うための操作部として兼用することができ、電気錠装置１の構成の簡略化を図ることが可能となる。なお、特定操作は、ドア５に対する押操作と引操作とを所定の順序パターンで組み合わせた操作に限らず、押操作及び引操作以外の操作であってもよい。
【００５８】
第３態様に係る電気錠装置１は、第１又は第２態様において、ドア５に対して行われた操作を特定操作として判定部１５に登録可能であることが好ましい。
【００５９】
上記構成により、電気錠装置１は、ユーザ３の任意の操作を特定操作とすることができるので、ユーザ３が特定操作を覚えやすくなり、利便性の向上を図ることが可能となる。なお、特定操作は、予め決められた操作であってもよい。
【００６０】
第４態様に係る電気錠装置１は、第１〜第３態様のいずれかにおいて、仮施錠制御が開始されてからの経過時間を計測するタイマ１７を更に備えることが好ましい。制御部１０は、タイマ１７の計測結果が閾値時間を越えると、仮施錠制御を終了し、錠５０が解錠状態となるように錠駆動部１１を制御することが好ましい。
【００６１】
上記構成により、電気錠装置１は、仮施錠制御を行ってから閾値時間が経過すると錠５０を解錠するので、ユーザ３の閉め出しをより抑制することが可能となる。なお、制御部１０は、仮施錠制御を行ってから閾値時間が経過すると、特定操作での錠５０の解錠が不可となる本施錠制御を行うように構成されていてもよい。
【００６２】
第５態様に係る電気錠装置１は、第１〜第４態様のいずれかにおいて、制御部１０は、仮施錠制御中に、錠５０の解錠を指示する信号を通信部１８が受信した場合、仮施錠制御を一時的に停止し錠５０が解錠状態となるように錠駆動部１１を制御することが好ましい。さらに、制御部１０は、所定条件を満たすと仮施錠制御を再開することが好ましい。
【００６３】
上記構成により、鍵装置２を用いて錠５０が解錠された後も仮施錠制御が継続されるので、鍵又は鍵装置２を携帯していないユーザ３が閉め出されることが抑制される。なお、制御部１０は、仮施錠制御中に、錠５０の解錠を示す信号を通信部１８が受信した場合、仮施錠制御を終了して解錠制御を行ってもよい。
【００６４】
第６態様に係る電気錠装置１は、第１〜第５態様のいずれかにおいて、手動解錠が、建物４の内側から行われたか、建物４の外側から行われたかを判別する方向判別部１３を更に備えることが好ましい。制御部１０は、方向判別部１３の判別結果が建物４の内側である場合にのみ、仮施錠制御を行うことが好ましい。
【００６５】
上記構成により、建物４の外側から手動解錠が行われた場合、仮施錠制御を行わないように構成することができる。これにより、電気錠装置１は、ユーザ３が仮施錠制御を本施錠制御と間違うことを抑制し、仮施錠制御の終了時にユーザ３が意図しないで錠５０が解錠されることを抑制することができる。なお、制御部１０は、建物４の外側から手動解錠が行われた場合であっても、仮施錠制御を行うように構成されていてもよい。
【符号の説明】
【００６６】
１  電気錠装置
１０  制御部
１１  錠駆動部
１２  解錠検知部
１３  方向判別部
１４  操作検知部
１５  判定部
１７  タイマ
１８  通信部
２  鍵装置
３  ユーザ
４  建物
５  ドア
５０  錠
【図１】
2018062803.tif 000003
【図２】
2018062803.tif 000004
【図３】
2018062803.tif 000005